(57)【要約】【課題】安価、かつ、簡単な構成で、室内灯の消灯時の暗闇における歩行中の不安感を取り除くとともに、転倒等の事故を未然に防止する画像形成装置を提供することを目的とする。【解決手段】ＣＰＵ７１には、光量検知手段４６が接続されている。そして、光量検知手段４６により検知された光量が、ＲＯＭ７２に記憶され、予め設定された光量よりも大きい場合は、ＣＰＵ７１は、オフィス等における室内灯が消灯されていないものと判断する。一方、光量検知手段４６により検知された光量が、予め設定された光量以下の場合は、ＣＰＵ７１は、オフィス等における室内灯が消灯され、室内が暗くなったものと判断する。そうすると、ＣＰＵ７１は、照明手段４７を点灯させるために駆動信号を発生する。そして、駆動信号が照明手段駆動部４８に入力され、照明手段駆動部４８は照明手段４７を駆動させる。【選択図】  図５
2006163262.tif 000002
【特許請求の範囲】
【請求項１】
装置周辺を照明するための照明手段と、装置周囲の光量を検知するための光量検知手段と、前記光量検知手段の検知結果に基づき、前記照明手段の点消灯を制御する制御手段と、を備えることを特徴とする画像形成装置。
【請求項２】
前記制御手段は、前記光量検知手段により検知された光量が予め設定された値以下の場合は、前記照明手段を点灯させるとともに、前記照明手段の点灯が開始されてから予め設定された時間が経過した場合は、前記照明手段を消灯させることを特徴とする請求項１に記載の画像形成装置。
【請求項３】
装置周辺の人の声を検知するための音声検知手段を更に備え、前記制御手段は、前記光量検知手段と前記音声検知手段の検知結果に基づき、前記照明手段の点消灯を制御することを特徴とする請求項１に記載の画像形成装置。
【請求項４】
前記制御手段は、前記光量検知手段により検知された光量が予め設定された値以下の場合は、前記照明手段を点灯させるとともに、前記音声検知手段が人の声を検知している場合は、前記照明手段の点灯状態を維持し、前記音声検知手段が人の声を検知していない場合は、前記照明手段を消灯させることを特徴とする請求項３に記載の画像形成装置。
【請求項５】
原稿の画像を読取る画像読取部を更に備えるとともに、前記照明手段が、前記画像読取部に設けられ、前記原稿を照明する光源であることを特徴とする請求項１乃至請求項４のいずれかに記載の画像形成装置。
【請求項６】
複写を行う際に、設定条件を入力し、表示するための操作パネルを更に備えるとともに、前記操作パネルが、前記照明手段を兼用することを特徴とする請求項１乃至請求項４のいずれかに記載の画像形成装置。
【発明の詳細な説明】
【技術分野】
【０００１】
本発明は、オフィス等の室内に設置され、消灯後の室内を照明するための機能を備えた画像形成装置に関する。
【背景技術】
【０００２】
夜間にオフィス等の室内から退室する際には、まず、室内灯を消灯し、扉位置まで歩行して退室するが、消灯後の暗闇においては、歩行に不安を感じたり、転倒等の事故が発生する危険性がある。
【０００３】
そこで、消灯時の暗闇における歩行者の安全性を確保するとともに、転倒等の事故を未然に防止すべく、人感センサを用いた照明装置が提案されている、より具体的には、例えば、当該照明装置は、オフィス等の天井面や通路に取り付けられた複数の照明器具と、当該照明器具の近傍に配置された人感センサと、当該人感センサの出力に基づいて照明器具の点消灯を制御する制御装置を備えている。そして、人感センサの検知領域内に人が存在する場合には、検出信号が出力され、当該検出信号に基づいて、制御装置が照明器具を点灯させる。次いで、予め設定された時間が経過すると、当該制御装置が照明器具を消灯させる構成となっている（例えば、特許文献１参照）。
【特許文献１】特開平１１−７３８１４号公報
【発明の開示】
【発明が解決しようとする課題】
【０００４】
しかし、上記従来の照明装置においては、複数の照明器具の各々に対して、制御装置や人感センサを配線する構成となっているため、大掛かり、かつ煩雑な施工が必要となるとともに、多大な工事費用が必要となる等の問題点があった。
【０００５】
そこで、本発明は、上述の問題に鑑みてなされたものであり、安価、かつ、簡単な構成で、室内灯の消灯時の暗闇における歩行中の不安感を取り除くとともに、転倒等の事故を未然に防止する画像形成装置を提供することを目的とする。
【課題を解決するための手段】
【０００６】
上記の目的を達成するために、請求項１に記載の画像形成装置においては、装置周辺を照明するための照明手段と、装置周囲の光量を検知するための光量検知手段と、光量検知手段の検知結果に基づき、照明手段の点消灯を制御する制御手段と、を備えることを特徴とする。
【０００７】
請求項１に記載の画像形成装置によれば、複雑な配線等の大掛かり、かつ煩雑な施工を施すことなく、室内灯の消灯時において照明手段を点消灯させることが可能になるため、安価、かつ、簡単な構成で、室内灯の消灯時の暗闇における歩行中の不安感を取り除くとともに、転倒等の事故を未然に防止することが可能になる。
【０００８】
請求項２に記載の画像形成装置においては、請求項１に記載の画像形成装置であって、制御手段は、光量検知手段により検知された光量が予め設定された値以下の場合は、照明手段を点灯させるとともに、照明手段の点灯が開始されてから予め設定された時間が経過した場合は、照明手段を消灯させることを特徴とする。
【０００９】
請求項２に記載の画像形成装置によれば、簡単な構成で、室内灯の消灯時の暗闇における歩行中の不安感を取り除くとともに、転倒等の事故を未然に防止することが可能になる。
【００１０】
請求項３に記載の画像形成装置においては、請求項１に記載の画像形成装置であって、装置周辺の人の声を検知するための音声検知手段を更に備え、制御手段は、光量検知手段と音声検知手段の検知結果に基づき、照明手段の点消灯を制御することを特徴とする。
【００１１】
請求項３に記載の画像形成装置によれば、照明手段の点消灯の制御を行う際の精度を高めることが可能になるため、室内灯の消灯時の暗闇における歩行中の不安感を確実に取り除くとともに、転倒等の事故を確実に防止することが可能になる。
【００１２】
請求項４に記載の画像形成装置においては、請求項３に記載の画像形成装置であって、制御手段は、光量検知手段により検知された光量が予め設定された値以下の場合は、照明手段を点灯させるとともに、音声検知手段が人の声を検知している場合は、照明手段の点灯状態を維持し、音声検知手段が人の声を検知していない場合は、照明手段を消灯させることを特徴とする。
【００１３】
請求項４に記載の画像形成装置によれば、簡単な構成で、室内灯の消灯時の暗闇における歩行中の不安感を確実に取り除くとともに、転倒等の事故を確実に防止することが可能になる。
【００１４】
請求項５に記載の画像形成装置においては、請求項１乃至４に記載の画像形成装置であって、原稿の画像を読取る画像読取部を更に備えるとともに、照明手段が、画像読取部に設けられ、原稿を照明する光源であることを特徴とする。
【００１５】
請求項５に記載の画像形成装置によれば、画像読取部に設けられた光源を、照明手段として兼用することができるため、別個の照明手段を設ける必要がなくなり、結果として、コストアップを抑制することが可能になる。
【００１６】
請求項６に記載の画像形成装置においては、請求項１乃至請求項４のいずれかに記載の画像形成装置であって、複写を行う際に、設定条件を入力し、表示するための操作パネルを更に備えるとともに、操作パネルが、照明手段を兼用することを特徴とする。
【００１７】
請求項６に記載の画像形成装置によれば、操作パネルを、照明手段として兼用することができるため、別個の照明手段を設ける必要がなくなり、結果として、コストアップを抑制することが可能になる。
【発明の効果】
【００１８】
本発明によれば、安価、かつ、簡単な構成で、室内灯の消灯時の暗闇における歩行中の不安感を取り除くとともに、転倒等の事故を未然に防止することが可能になる。
【発明を実施するための最良の形態】
【００１９】
（第１の実施形態）
以下に、本発明の具体的な実施形態について図面を参照しながら説明する。図１は、本発明の第１の実施形態に係る画像形成装置の全体構成を示す概略図であり、図２は、本発明の第１の実施形態に係る画像形成装置の外観構成を示す斜視図である。
【００２０】
図１に示す様に、この画像形成装置１は、画像形成装置本体１ａの下部に配設された給紙部２と、この給紙部２の側方及び上方に配設された用紙搬送部３と、この用紙搬送部３の右方に配設された画像形成部４と、画像形成装置本体１ａの上方に配設された画像読取部５を備えている。
【００２１】
給紙部２は、用紙が収容された複数の給紙カセット６を備えており、給紙ローラ７の回転動作により、当該給紙カセット６から用紙が用紙搬送部３側に送り出され、用紙が１枚ずつ確実に用紙搬送部３に給紙されるように構成されている。尚、これらの給紙カセット６は、画像形成装置本体１ａに対し、着脱自在となるように構成されている。
【００２２】
又、給紙部２には、手差し給紙ユニット８が設けられており、当該手差し給紙ユニット８は、手差し給紙トレイ９と、給紙ローラ１０を備えている。手差し給紙トレイ９に載置された用紙は、給紙ローラ１０の回転動作により、当該手差し給紙トレイ９から用紙供給搬送路１１に送り出され、用紙が１枚ずつ用紙搬送部３に給紙されるように構成されている。
【００２３】
用紙供給搬送路１１に給紙された用紙は、用紙搬送部３を経由して画像形成部４に向けて搬送される。この画像形成部４は、電子写真プロセスによって、用紙に所定のトナー像を形成するものであり、所定の方向（図中の矢印方向）に回転可能に軸支された像端持体である感光体１２と、この感光体１２の周囲にその回転方向に沿って、帯電ユニット１３、現像ユニット１４、転写ユニット１５、クリーニングユニット１６および除電ユニット１７を備えている。
【００２４】
帯電ユニット１３は、高電圧が印加される帯電ワイヤを備えており、この帯電ワイヤからのコロナ放電によって感光体１２の表面に所定電位を与えることにより、感光体１２の表面が一様に帯電させられる。そして、画像読取部５により読取られた原稿の画像データに基づくレーザ走査ユニット（ＬＳＵ）１８からのレーザビームにより感光体１２上に静電潜像が形成される。次いで、現像ユニット１４により、上記静電潜像にトナーが付着し、感光体１２の表面にトナー像が形成され、転写ユニット１５により、感光体１２の表面のトナー像が、感光体１２と転写ユニット１５との間に供給された用紙に転写される。
【００２５】
トナー像が転写された用紙（以下、「転写紙」という）は、画像形成部４から定着ローラ対１９に向けて搬送される。この定着ローラ対１９は、画像形成部４の用紙搬送方向の下流側に配置されており、転写紙は定着ローラ対１９を構成する加熱ローラ、及び当該加熱ローラに押し付けられる加圧ローラによって挟まれるとともに加熱され、転写紙上にトナー像が定着される。
【００２６】
次いで、画像形成部４から定着ローラ対１９において画像形成がなされた転写紙は、排出手段である排出ローラ対２０によって画像形成装置本体１ａの胴内に設けられた用紙排出部２１に排出され、当該用紙排出部２１に積載される。一方、上記転写後、感光体１２の表面に残留しているトナーは、クリーニングユニット１６により除去され、感光体１２の表面の残留電荷は、除電ユニット１７により除去される。そして、感光体１２は帯電ユニット１３によって再び帯電され、以下同様にして画像形成が行われることになる。
【００２７】
次に、本発明の画像読取部５について、図面を用いて説明する。図３は、本発明の第１の実施形態に係る画像読取部の概略図である。図３において、画像読取部５は、画像読取部本体５ａと、画像読取部本体５ａの上面に設けられたコンタクトガラス２２とを備えている。そして、画像読取部本体５ａは、コンタクトガラス２２上に載置された原稿Ｄに光を照射して原稿Ｄを照明する光源２３と、原稿Ｄにより反射された照射光を９０度方向に反射する第１ミラー２４とから構成される第１光学系ユニット２５と、第１ミラー２４による反射光を９０度方向に反射する第２ミラー２６と、第２ミラー２６による反射光を更に９０度方向に反射する第３ミラー２７とから構成される第２光学系ユニット２８とを備えている。
【００２８】
また、画像読取部本体５ａの内部には、結像レンズ２９と、ＣＣＤセンサ３０が搭載されたＣＣＤユニット３１が設けられており、第３ミラー２７により反射された原稿Ｄからの反射光は、ＣＣＤセンサ３０に対面して設けられた結像レンズ２９により収束され、当該結像レンズ２９を介してＣＣＤセンサ３０に入射し、当該ＣＣＤセンサ３０上に結像される。そして、原稿Ｄ上を走査した画像の光は、ＣＣＤセンサ３０により電気信号に変換され、原稿画像の濃淡が電気信号レベルの高低に変換される。本実施形態においては、第１光学系ユニット２５、第２光学系ユニット２８、結像レンズ２９、及びＣＣＤユニット３１により、光源２３により照射され、原稿Ｄにより反射された照射光に基づいて、原稿画像を読取る画像読取部５が構成されている。
【００２９】
また、上記構成においては、結像レンズ２９、及びＣＣＤセンサ３０は画像読取部本体５ａに固定されているが、光源２３がスキャン方向に移動しても原稿側光路長が変化しないようにするために、光源２３と第１ミラー２４とから構成される第１光学系ユニット２５と、第２ミラー２６と第３ミラー２７とから構成される第２光学系ユニット２８は、各々、一定速度で移動可能となるように設けられている。これらの第１、第２光学系ユニット２５、２８の移動、及び停止は、図示しない駆動手段により行われる。
【００３０】
また、コンタクトガラス２２の上面の一部を覆うとともに、コンタクトガラス２２に隣接して設けられた原稿サイズ指示用部材３２と、シェーディング補正を行う際に使用されるシェーディング補正板３３が設けられている。この原稿サイズ指示用部材３２は、コンタクトガラスに載置される原稿Ｄのサイズの指標となるものであり、例えば、ポリスチレンやＡＢＳ等の樹脂により形成されている。
【００３１】
また、シェーディング補正板３３は、厚さが０.２〜０.５ｍｍのシート状の成形体であり、走査方向において均一な透過率（又は、反射率）を有しており、シェーディング補正を行うために白色に処理されている。そして、本実施形態においては、シェーディング補正板３３を走査することにより得られた補正データに基づいて、原稿Ｄの画像を読み取る際にシェーディング補正を行う構成としている。
【００３２】
このシェーディング補正を行う際には、まず、原稿Ｄを光源２３で照明する前に、白色のシェーディング補正板３３を照明し、その反射光量をＣＣＤセンサ３０で測定する。より具体的には、第１光学系ユニット２５と第２光学系ユニット２８を移動させ、シェーディング補正板３３の照射を行い、第３ミラー２７により反射されたシェーディング補正板３３からの反射光をＣＣＤセンサ３０に入力させる。
【００３３】
そして、シェーディング補正板３３を走査することにより得られた測定データをＣＣＤセンサ３０の画素毎に出力して、この出力値と目標出力値からＣＣＤセンサ３０の全画素に対する補正係数を算出・記憶する。そして、実際の原稿読み取り時に、当該補正係数を使用して、同一濃度原稿を読み取ったときに各画素の画像データレベルが同一値になる様にＣＣＤセンサ３０の出力値の補正を行う構成としている。
【００３４】
次に、本発明の操作パネルについて、図面を用いて説明する。図４は、本発明の第１の実施形態に係る画像形成装置における操作パネルの外観構成を示す概略図である。本実施形態においては、図１、図２に示す様に、画像形成装置本体１ａの上方に配置された画像読取部５の前面５ｂ側には、複写を行う際に、各ユーザーの目的に応じた設定条件を入力し、表示するための操作パネル３４が配置されている。この操作パネル３４は、図４に示す様に、複数の機能や条件等が表示される表示部３５と、各種設定キーが配置された操作部３６とを備えている。
【００３５】
より具体的には、表示部３５には、例えば、表示手段かつ操作手段として機能するタッチパネル方式の液晶表示部（ＬＣＤ）を使用することが可能であり、転写紙として使用される用紙のサイズを指定するための用紙サイズキー３７、複写倍率を選択するための倍率選択キー３８、画像濃度を選択するための濃度選択キー３９、ユーザーに対して操作方法等を表示し、案内するための案内表示部４０等が夫々配置されている。
【００３６】
また、操作部３６には、コピー枚数等を入力するテンキー４１、入力した情報を取り消すためのクリアキー４２、コピー動作を中止させるストップキー４３、入力により設定された値を予め設定された標準値に戻すリセットキー４４、複写動作を開始させるスタートキー４５等が夫々配置されている。
【００３７】
なお、操作パネル３４には、表示部３５を点灯させるためのバックライトを備えており、画像形成時には、当該バックライトにより表示部３５を点灯するが、非画像形成時においては、バックライトにより表示部３５を点灯しない構成としている。
【００３８】
ここで、本実施形態においては、消灯後の室内を照明するための機能を備えている点に特徴がある。以下に、本特徴について、図面を用いて詳しく説明する。図５は、本発明の第１の実施形態に係る画像形成装置における照明手段を制御するための制御系を示すブロック図である。
【００３９】
図５に示す様に、画像形成装置１は、制御手段としてのＣＰＵ７１と、ＲＯＭ７２およびＲＡＭ７３を含むメモリ７４を備えている。また、画像形成装置１の周囲の光量を検知するための光量検知手段４６と、照明手段４７の駆動を行うための照明手段駆動部４８を備えている。なお、本実施形態においては、光量検知手段４６として、上述のＣＣＤセンサ３０を使用し、照明手段４７として、上述の光源２３や操作パネル３４を使用する構成としている。また、図示はしていないが、画像形成装置１の周囲の光をＣＣＤセンサ３０に入力する手段として、例えば、画像読取部５に設けられ、画像形成装置１の周囲の光を反射させて、ＣＣＤセンサ３０に入力するための第４ミラーを使用する構成とすることができる。
【００４０】
照明手段駆動部４８には、ＣＰＵ７１により発生した駆動パルス信号（以下、「駆動信号」という。）が入力され、照明手段駆動部４８は、当該駆動パルス信号に基づいて、照明手段４７の駆動を行う。また、メモリ７４は、ＣＰＵ７１に接続されており、ＣＰＵ７１は、ＲＯＭ７２に記憶されているプログラムに従い、各部の制御を行う。
【００４１】
また、ＣＰＵ７１には、上述の光量検知手段４６が接続されており、オフィス等に設けられた室内灯の照明状態に基づいて当該光量検知手段４６から検知信号が出力されると、ＣＰＵ７１に当該検知信号が入力される。そして、ＣＰＵ７１は、入力された検知信号に基づいて、上述の駆動信号を発生させる。
【００４２】
より具体的には、光量検知手段４６により検知された光量が、上述のＲＯＭ７２に記憶され、予め設定された光量よりも大きい場合は、ＣＰＵ７１は、オフィス等における室内灯が消灯されていないものと判断し、上述の駆動信号を発生しない。一方、光量検知手段４６により検知された光量が、上述の予め設定された光量以下の場合は、ＣＰＵ７１は、オフィス等における室内灯が消灯され、室内が暗くなったものと判断する。そうすると、ＣＰＵ７１は、上述の照明手段４７として使用される光源２３、または操作パネル３４の表示部３５、または光源２３と操作パネル３４の表示部３５の双方を点灯させるために、上述の駆動信号を発生する。そして、当該駆動信号が照明手段駆動部４８に入力され、当該照明手段駆動部４８は、照明手段４７を駆動させる（即ち、光源２３、操作パネル３４の表示部３５を点灯させる）構成となっている。この様に、ＣＰＵ７１は、光量検知手段４６の検知結果に基づき、照明手段４７を制御する構成となっている。
【００４３】
図６は、本発明の第１の実施形態に係る画像形成装置における照明手段の制御の手順を示すフローチャートである。まず、光量検知手段４６による装置周辺の光量が検知されると（ステップＳ１）、ＣＰＵ７１が、光量検知手段４６の検知信号に基づき、室内が暗くなったか否かを判断する（ステップＳ２）。そして、光量検知手段４６により検知された光量が、上述の予め設定された光量よりも大きい場合は、ＣＰＵ７１は、オフィス等における室内灯が消灯されておらず、室内が暗くなっていないものと判断する。そして、上述の、室内が暗くなった否かの判断を繰り返す。一方、光量検知手段４６により検知された光量が、上述の予め設定された光量以下の場合は、ＣＰＵ７１は、オフィス等における室内灯が消灯され、室内が暗くなったものと判断し、上述の駆動信号を発生させ、照明手段駆動部４８により、照明手段４７である光源２３や操作パネル３４の表示部３５を点灯させる（ステップＳ３）。そして、ＣＰＵ７１は、ＲＯＭ７２に記憶され、予め設定された点灯時間が経過したか否かを判断し（ステップＳ４）、当該点灯時間が経過していないと判断した場合は、照明手段４７を点灯させたままの状態で、当該点灯時間が経過したか否かの判断を繰り返す。一方、当該点灯時間が経過した場合には、ＣＰＵ７１は、照明手段４７を消灯させるための駆動信号を発生させる。そうすると、当該駆動信号が照明手段駆動部４８に入力され、当該照明手段駆動部４８は、照明手段４７の駆動を停止させる（即ち、光源２３、操作パネル３４の表示部３５を消灯させる）構成となっている（ステップＳ５）。
【００４４】
なお、上述の、照明手段４７の点灯時間は、室内灯の消灯後、室内から退室するまでの間、室内を安全に歩行することができ、転倒等の事故を防止することができる時間、例えば、１〜２分程度に設定することが可能であるが、当該点灯時間は、これに限定されず、任意に設定することが可能である。
【００４５】
以上に説明したように、本実施形態においては、画像形成装置１の周辺を照明するための照明手段４７と、画像形成装置１の周囲の光量を検知するための光量検知手段４６と、光量検知手段４６の検知結果に基づき、照明手段４７の点消灯を制御するＣＰＵ７１とを備える構成としている。従って、上記従来技術のごとく、複雑な配線等の大掛かり、かつ煩雑な施工を施す必要がなくなり、結果として、安価、かつ、簡単な構成で、室内灯の消灯時の暗闇における歩行中の不安感を取り除くとともに、転倒等の事故を未然に防止することが可能になる。
【００４６】
また、ＣＰＵ７１が、光量検知手段４６により検知された光量が予め設定された値以下の場合は、照明手段４７を点灯させるとともに、照明手段４７の点灯が開始されてから予め設定された時間が経過した場合は、照明手段４７を消灯させる構成としている。従って、簡単な構成で、室内灯の消灯時の暗闇における歩行中の不安感を取り除くとともに、転倒等の事故を未然に防止することが可能になる。
【００４７】
また、原稿画像を読取る画像読取部５を更に備えるとともに、当該画像読取部５に設けられ、原稿Ｄを照明する光源２３を照明手段４７として使用する構成としている。従って、当該光源２３を、照明手段４７として兼用することができるため、別個の照明手段を設ける必要がなくなり、結果として、コストアップを抑制することが可能になる。
【００４８】
さらに、複写を行う際に、設定条件を入力し、表示するための操作パネル３４を照明手段４７として使用する構成としている。従って、当該操作パネル３４を、照明手段４７として兼用することができるため、別個の照明手段を設ける必要がなくなり、結果として、コストアップを抑制することが可能になる。
【００４９】
（第２の実施形態）
次に、本発明の第２の実施形態について説明する。図７は、本発明の第２の実施形態に係る画像形成装置における照明手段を制御するための制御系を示すブロック図であり、図８は、本発明の第２の実施形態に係る画像形成装置における照明手段の制御の手順を示すフローチャートである。尚、本実施形態においては、上記第１の実施形態と同様の構成部分については同一の符号を付してその説明を省略する。又、画像形成装置の全体構成、画像読取部の概略構成についても、上述の第１の実施形態と同様であるため、ここでは詳しい説明を省略する。
【００５０】
本実施形態においては、図７に示すように、上述の図５において説明した照明手段４７を制御するための制御系において、音声検知手段４９を備えている点に特徴がある。この音声検知手段は、装置周辺の人の声を検知するためのものであり、例えば、音声信号を検知する音声検知センサが使用される。
【００５１】
そして、ＣＰＵ７１には、上述の音声検知手段４９が接続されており、画像形成装置１の周辺に存在する人の音声を検知し、当該音声検知手段４９から検知信号が出力されると、ＣＰＵ７１に当該検知信号が入力される。そして、ＣＰＵ７１は、光量検知手段４６、および音声検知手段４９から入力された検知信号に基づいて、上述の駆動信号を発生させる。
【００５２】
より具体的には、上記第１の実施形態において説明した場合と同様に、まず、ＣＰＵ７１は、光量検知手段４６により検知された光量が、上述のＲＯＭ７２に記憶され、予め設定された光量よりも大きい場合は、オフィス等における室内灯が消灯されていないものと判断し、上述の駆動信号を発生しない。一方、光量検知手段４６により検知された光量が、上述の予め設定された光量以下の場合は、ＣＰＵ７１は、オフィス等における室内灯が消灯され、室内が暗くなったものと判断する。そうすると、ＣＰＵ７１は、上述の照明手段４７として使用される光源２３、または操作パネル３４の表示部３５、または光源２３と操作パネル３４の表示部３５の双方を点灯させるために、上述の駆動信号を発生する。そして、当該駆動信号が照明手段駆動部４８に入力され、当該照明手段駆動部４８が、照明手段４７を駆動させる。次いで、音声検知手段４９が人の音声を検知している場合は、ＣＰＵ７１は、画像形成装置１の周辺に人が存在しているものと判断し、照明手段４７の点灯状態を維持する。一方、音声検知手段４９が人の音声を検知していない場合は、ＣＰＵ７１は、画像形成装置１の周辺に人が存在していないものと判断し、照明手段４７を消灯する。この様に、本実施形態においては、ＣＰＵ７１は、光量検知手段４６と音声検知手段４９の検知結果に基づき、照明手段４７を制御する構成となっている。
【００５３】
図８は、本発明の第２の実施形態に係る画像形成装置における照明手段の制御の手順を示すフローチャートである。まず、光量検知手段４６による装置周辺の光量が検知されると（ステップＳ１１）、ＣＰＵ７１が、光量検知手段４６の検知信号に基づき、室内が暗くなったか否かを判断する（ステップＳ１２）。そして、光量検知手段４６により検知された光量が、上述の予め設定された光量よりも大きい場合は、ＣＰＵ７１は、オフィス等における室内灯が消灯されておらず、室内が暗くなっていないものと判断する。そして、上述の、室内が暗くなった否かの判断を繰り返す。一方、光量検知手段４６により検知された光量が、上述の予め設定された光量以下の場合は、ＣＰＵ７１は、オフィス等における室内灯が消灯され、室内が暗くなったものと判断し、上述の駆動信号を発生させ、照明手段駆動部４８により、照明手段４７である光源２３や操作パネル３４の表示部３５を点灯させる（ステップＳ１３）。次いで、ＣＰＵ７１は、装置周辺の人の音声が検知されたか否かを判断し（ステップＳ１４）、当該音声が検知されたと判断した場合は、照明手段４７を点灯させたままの状態で、装置周辺の人の音声が検知されたか否かの判断を繰り返す。一方、音声が検知されていないと判断した場合には、ＣＰＵ７１は、照明手段４７を消灯させるための駆動信号を発生させる。そうすると、当該駆動信号が照明手段駆動部４８に入力され、当該照明手段駆動部４８は、照明手段４７の駆動を停止させる（即ち、光源２３、操作パネル３４の表示部３５を消灯させる）構成となっている（ステップＳ１５）。
【００５４】
以上に説明したように、本実施形態においては、画像形成装置１の周辺の人の声を検知するための音声検知手段４９を更に備え、ＣＰＵ７１が、光量検知手段４６と音声検知手段４９の検知結果に基づき、照明手段４７の点消灯を制御する構成としている。従って、照明手段４７の点消灯の制御を行う際の精度を高めることが可能になるため、室内灯の消灯時の暗闇における歩行中の不安感を確実に取り除くとともに、転倒等の事故を確実に防止することが可能になる。
【００５５】
また、ＣＰＵ７１は、光量検知手段４６により検知された光量が予め設定された値以下の場合は、照明手段４７を点灯させるとともに、音声検知手段４９が人の声を検知している場合は、照明手段４７の点灯状態を維持し、音声検知手段４９が人の声を検知していない場合は、照明手段４７を消灯させる構成としている。従って、簡単な構成で、室内灯の消灯時の暗闇における歩行中の不安感を確実に取り除くとともに、転倒等の事故を確実に防止することが可能になる。
【００５６】
なお、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００５７】
例えば、上記実施形態においては、照明手段として、光源２３や操作パネル３４を使用する構成としたが、画像形成装置１に別個のＬＥＤランプ等の照明手段を設ける構成としても良い。また、当該別個の照明手段を画像形成装置本体１ａの下方に設ける構成としても良い。この様な構成とすることにより、室内灯の消灯時の暗闇において足下が照らされるため、室内灯の消灯時の暗闇における歩行中の転倒等の事故を効果的に防止することが可能になる。
【００５８】
また、上記実施形態においては、光量検知手段として、ＣＣＤセンサ３０を使用する構成としたが、画像形成装置１に別個の光量検知手段を設ける構成としても良い。
更に、上記実施形態においては、画像形成装置の一例として、デジタル複写機を示したが、ファクシミリやプリンタ等の他の画像形成装置であっても良いことは言うまでもない。
【産業上の利用可能性】
【００５９】
本発明の活用例としては、オフィス等の室内に設置され、消灯後の室内を照明するための機能を備えた画像形成装置が挙げられる。
【図面の簡単な説明】
【００６０】
【図１】本発明の第１の実施形態に係る画像形成装置の全体構成を示す概略図である。
【図２】本発明の第１の実施形態に係る画像形成装置の外観構成を示す斜視図である。
【図３】本発明の第１の実施形態に係る画像読取部の概略図である。
【図４】本発明の第１の実施形態に係る画像形成装置における操作パネルの外観構成を示す概略図である。
【図５】本発明の第１の実施形態に係る画像形成装置における照明手段を制御するための制御系を示すブロック図である。
【図６】本発明の第１の実施形態に係る画像形成装置における照明手段の制御の手順を示すフローチャートである。
【図７】本発明の第２の実施形態に係る画像形成装置における照明手段を制御するための制御系を示すブロック図である。
【図８】本発明の第２の実施形態に係る画像形成装置における照明手段の制御の手順を示すフローチャートである。
【符号の説明】
【００６１】
１…画像形成装置、１ａ…画像形成装置本体、５…画像読取部、２３…光源、３０…ＣＣＤセンサ、３４…操作パネル、３５…表示部、４６…光量検知手段、４７…照明手段、４８…照明手段駆動部、４９…音声検知手段、７１…ＣＰＵ（制御手段）、７２…ＲＯＭ、７３…ＲＡＭ、７４…メモリ、Ｄ…原稿
【図１】
2006163262.tif 000003
【図２】
2006163262.tif 000004
【図３】
2006163262.tif 000005
【図４】
2006163262.tif 000006
【図５】
2006163262.tif 000007
【図６】
2006163262.tif 000008
【図７】
2006163262.tif 000009
【図８】
2006163262.tif 000010